(57)【要約】  データ記録がキャンセル可能な光記録再生装置及びその記録のキャンセル方法が開示される。本発明によれば、記録中のデータの記録をキャンセルしようとする場合、記録対象となるデータのナビゲーションファイルを初期化させることにより、ユーザは、一回のキー操作だけでデータの記録をキャンセルすることができる。
2007503076.tif 000002
【特許請求の範囲】
【請求項１】
外部より与えられる記録対象となるデータをエンコードしてデータストリームを生成するエンコーダと、
前記データストリームが光記録媒体のデータストリームファイルに記録される間に、前記データストリームファイルを管理するための管理情報を含む一時管理ファイルが格納されるバッファと、
前記管理情報を生成して前記一時管理ファイルに格納させ、前記データストリームが前記データストリームファイルに記録される間に、記録キャンセル要請信号が受信されると、前記エンコーダのエンコードを止めた後、前記バッファに格納されている前記一時管理ファイルを初期化させる制御部と、を備える光記録再生装置。
【請求項２】
前記制御部は、所定のファイルシステムにより所定の記録単位で前記データストリームを生成するように前記エンコーダを制御し、前記所定の記録単位のデータストリームに対応する前記管理情報を生成して前記一時管理ファイルに格納するように処理を行うことを特徴とする請求項１に記載の光記録再生装置。
【請求項３】
前記制御部は、前記光記録媒体に、前記記録対象となるデータを、前記データストリームファイル及び前記データストリームファイルを管理するための初期管理ファイルに区分けして記録するが、
前記データストリームが記録される間に、前記記録キャンセル要請信号が受信されると、エンコードを止めた後、前記バッファに格納された前記一時管理ファイルに含まれている前記管理情報が前記初期管理ファイルの初期管理情報に置換されるように処理を行い、前記一時管理ファイルを初期化させることを特徴とする請求項２に記載の光記録再生装置。
【請求項４】
前記データストリームの記録が完了すると、前記制御部は、前記初期管理ファイルの初期管理情報が前記一時管理ファイルに最終的に格納された管理情報に置換されるように処理を行うことを特徴とする請求項３に記載の光記録再生装置。
【請求項５】
前記光記録媒体は、デジタル多機能ディスク（ＤＶＤ）ＲＡＭであり、前記所定のファイルシステムは、ユニバーサル・ディスク・フォーマット（ＵＤＦ）ファイルシステムであることを特徴とする請求項４に記載の光記録再生装置。
【請求項６】
外部より与えられる記録対象となるデータをエンコードしてデータストリームを生成する段階と、
前記データストリームを光記録媒体のデータストリームファイルに記録する段階と、
前記データストリームファイルを管理するための管理情報を生成する段階と、
前記管理情報を一時管理ファイルに一時格納する段階と、
記録キャンセル要請信号が受信されると、前記エンコードを止めた後、前記一時管理ファイルを初期化させる段階と、を含む光記録再生装置におけるデータ記録のキャンセル方法。
【請求項７】
前記エンコード段階は、所定のファイルシステムにより所定の記録単位で前記データストリームを生成し、前記管理情報の生成段階は、前記所定の記録単位のデータストリームに対応する前記管理情報を生成することを特徴とする請求項６に記載の光記録再生装置におけるデータ記録のキャンセル方法。
【請求項８】
前記記録対象となるデータは、前記光記録媒体に、前記データストリームファイル及び前記データストリームファイルを管理するための初期管理ファイルに区分けして記録し、
前記初期化させる段階は、前記一時管理ファイルに格納されている前記管理情報を前記初期管理ファイルの初期管理情報に置換して前記一時管理ファイルを初期化させることを特徴とする請求項７に記載の光記録再生装置におけるデータ記録のキャンセル方法。
【請求項９】
前記光記録媒体は、デジタル多機能ディスク（ＤＶＤ）ＲＡＭであり、前記所定のファイルシステムは、ユニバーサル・ディスク・フォーマット（ＵＤＦ）ファイルシステムであることを特徴とする請求項８に記載の光記録再生装置におけるデータ記録のキャンセル方法。
【発明の詳細な説明】
【技術分野】
【０００１】
本発明はデータ記録がキャンセル可能な光記録再生装置及びその記録のキャンセル方法に係り、より詳しくは、一回のキー操作により記録中のデータの記録をキャンセルすることのできる、データ記録がキャンセル可能な光記録再生装置及びその記録のキャンセル方法に関する。
【背景技術】
【０００２】
光記録再生装置は、光記録媒体に記録対象となるデータを記録し、且つ、光記録媒体に記録されているデータを再生する装置であり、近年、ＤＶＤＲ（ＤＶＤレコーダー）が脚光を浴びている。ＤＶＤＲは、デジタル多機能ディスク（ＤＶＤ）、コンパクトディスク（ＣＤ）などの光記録媒体にデータを記録し、且つ、これらに記録されているデータを再生する。
【０００３】
かかる光記録再生装置は、ＭＰＥＧ−２などの圧縮方式に基づき動画像を記録するが、ユニバーサル・ディスク・フォーマット（ＵＤＦ：ユニバーサルディスクフォーマット）の支援下で記録を行う。ＵＤＦは、光学媒体用のファイルシステムであり、ＤＶＤにＭＰＥＧ動画像ファイルを記録するか、あるいは、ＤＶＤからＭＰＥＧ動画像ファイルを再生するために用いられる。
【０００４】
一方、外部より与えられる動画像ファイルをＤＶＤに記録する最中に、記録されたファイルを削除することを余儀なくされるような状況が起こる。この場合、光記録再生装置は、記録中のファイルの記録を一時的に止めた後、該記録の止められたファイルを削除処理する。しかしながら、既存の光記録再生装置においては、記録の止められたファイルを削除するためには、後述する複雑な処理過程を経る必要があった。
【０００５】
すなわち、光記録再生装置が記録モードで動作する最中に、記録のキャンセル指令が外部入力装置（例えば、リモコン）から受信されると、光記録再生装置は、動画像ファイルの記録を止めた後、図１に示すメニュー一覧を画面に表示する。図１は、ＤＶＤに記録されているファイル及び現在記録停止中の動画像ファイルのファイル名を表示するメニュー一覧である。
【０００６】
図１に示すメニュー一覧１００が画面に表示されると、ユーザは、外部入力装置を用いて記録キャンセルの対象となるファイル（すなわち、記録停止中の動画像ファイル）（斜線部分）を検索して選択した後、選択されたファイル（斜線部分）に対して削除指令を加える。外部入力装置から削除指令が受信されると、光記録再生装置は、ＤＶＤに記録されている記録キャンセルの対象となるファイル（斜線部分）を削除し、これにより、記録キャンセルの対象となるファイル（斜線部分）が完全に除去される。
【０００７】
このように、既存の光記録再生装置は、記録中の動画像ファイルの記録をキャンセルするために複雑な処理過程を行っていた。すなわち、記録キャンセルの対象となるファイル（斜線部分）を表示するメニュー一覧１００を画面に表示すること、及び表示された多数のメニューから記録キャンセルの対象となるファイル（斜線部分）を手動にて選択することを余儀なくされている。この理由から、記録キャンセルの対象となるファイル（斜線部分）を削除処理するに際し、外部入力装置の頻繁な操作を長時間をかけて行わなければならないといった不都合があった。
【発明の開示】
【発明が解決しようとする課題】
【０００８】
本発明が解決しようとする技術的な課題は、光記録媒体に記録中のデータをキャンセルしようとする場合、簡単なキー操作によりデータの記録をキャンセルすることのできる、データ記録がキャンセル可能な光記録再生装置及びその記録のキャンセル方法を提供するところにある。
【課題を解決するための手段】
【０００９】
上記の如き技術的な課題を解決するために、本発明に係るデータ記録がキャンセル可能な光記録再生装置は、映像源から与えられる動画像ファイルを光記録媒体に記録することが可能である。光記録再生装置から与えられる動画像ファイルを記録する場合、実際のデータストリームは、光記録媒体のデータストリームファイルに記録され、実際のデータストリームの管理情報は、バッファの一時管理ファイルに一時的に格納される。
【００１０】
一方、動画像ファイルを記録する最中に、記録キャンセル要請モードが選択されると、動画像ファイルのエンコードは止まり、これにより、実際のデータストリームの生成は止まる。これと共に、実際のデータストリームの管理情報が一時格納されている一時管理ファイルは初期化される。すなわち、光記録媒体に格納されている管理情報ファイルの内容を一時管理ファイルの内容に置換することにより、動画像ファイルの記録はキャンセルされる。
【００１１】
なお、光記録媒体は、ＤＶＤ−ＲＡＭであり、動画像ファイルの記録は、ＵＤＦファイルシステムに基づき行われる。
【発明を実施するための最良の形態】
【００１２】
以下、添付した図面に基づき、本発明を詳細に説明する。
【００１３】
図２は、本発明の好適な実施の形態による光記録再生装置を概略的に示すブロック図である。
【００１４】
図２を参照すれば、本発明に係る光記録再生装置２００は、チューナ２１０と、入力端子２２０と、デジタル信号処理部２３０と、エンコーダ２４０と、ディスクドライブ２５０と、バッファ２６０と、キー操作部２７０と、主記憶部２８０及び制御部２９０を備える。ここで、図２には、ＤＶＤＰなどの光記録再生装置２００のうち、本発明の記録機能と関連するブロックだけが示されており、その他のブロックの図示は、説明の便宜のために省略されている。
【００１５】
チューナ２１０は、アンテナ２０５を介して受信される多数のチャンネルから所定のチャンネルを選局する。
【００１６】
入力端子２２０は、所定の映像源から与えられるＡＶ信号を受信する。この受信されたＡＶ信号は、出力端子（図示せず）を介して外部機器（例えば、ＴＶ）に出力される。映像源は、ケーブル放送、衛生放送、デジタル放送、インターネット、ビデオ付きカメラ、セットトップボックスなど種々なるものが挙げられる。また、外部機器とは、ＴＶなどの画面表示装置などを言う。
【００１７】
デジタル信号処理部２３０は、チューナ２１０あるいは入力端子２２０を介して入力されたＡＶ信号がアナログ信号である場合、アナログ信号をデジタル信号として処理する。また、入力されたＡＶ信号がデジタル信号である場合、デジタル信号処理部２３０は、ＡＶ信号を通過させる。以下では、デジタルＡＶ信号として動画像ファイルを挙げて説明を進める。
【００１８】
記録対象となるデータとしてのデジタルＡＶ信号の記録を行う場合、エンコーダ２４０は、デジタルＡＶ信号を所定の圧縮方式に基づきエンコードし、実際のデータストリームを生成する。このとき、エンコーダ２４０は、後述する制御部２９０の制御により、所定の記録単位でデータストリームを生成して出力する。所定の記録単位とは、データ記録の基本単位であって、ＶＯＢ（ビデオオブジェクト）を構成するＶＯＢＵである。また、ＶＯＢＵは、少なくとも一つのＧＯＰから構成される。
【００１９】
また、デジタルＡＶ信号の管理情報を示すナビゲーションデータは、制御部２９０により生成される。なお、この詳細については後述する。
【００２０】
ディスクドライブ２５０は、エンコーダ２４０から与えられる記録対象となるデータを光記録媒体２５０ａに書き込むか、あるいは、記録されている再生対象となるデータを光記録媒体２５０ａから読み出す。このために、ディスクドライブ２５０は、光ピックアップ（図示せず）を有する。なお、光ピックアップ（図示せず）と関連する技術は公知の技術であるため、これについての詳細な説明を省く。
【００２１】
また、本発明においては、光記録媒体２５０ａとしてＤＶＤを用いている。ＤＶＤは、さらに、ＤＶＤ−Ｒ、ＤＶＤ−ＲＡＭ及びＤＶＤ±ＲＷに分類される。ＤＶＤ−Ｒは１回のみの記録が可能であり、ＤＶＤ−ＲＡＭ及びＤＶＤ±ＲＷは少なくとも２回の記録が可能である。例えば、ＤＶＤ−ＲＡＭに記録対象となるデータを記録する場合、ＤＶＤ−ＲＡＭは、ＵＤＦファイルシステムにより多数の記録対象となるデータを管理する。また、これは、図３に示す如き論理的なディレクトリ構造を有する。
【００２２】
図３を参照すれば、ルートディレクトリの以下には、ＤＶＤ＿ＲＴＡＶ（ＤＶＤリアルタイムＡＶ：リアルタイム・オーディオ／ビデオ・ディレクトリ）が位置し、あるＤＶＤ＿ＲＴＡＶディレクトリは、ナビゲーション情報が記録される管理情報ファイル（＊．ＩＦＯ）、実際のデータストリームが格納される少なくとも一つのデータストリームファイル（＊．ＶＲＯ）及びナビゲーション情報あるいは実際のデータストリームを退避させるための退避ファイル（＊．ＢＵＰ）を有する。
【００２３】
例えば、記録対象となるデータが動画像ファイルである場合、動画像ファイルのナビゲーション情報は、‘ＶＲ＿ＭＡＮＧＲ．ＩＦＯ’ファイルに記録され、実際のデータストリームとしてのＡＶストリームは、‘ＶＲ＿ＭＯＶＩＥ．ＶＲＯ’ファイルに記録される。ここで、ナビゲーション情報は、ＡＶストリームを管理するための情報であり、‘ＶＲ＿ＭＯＶＩＥ．ＶＲＯ’ファイルのＶＯＢ検索ポイント（例えば、ＶＲＯ情報開始アドレス）、ＶＯＢの記録時間、ユーザのＰＧＣ（プログラムチェイン）情報など、記録されているＡＶストリームを管理するための各種の情報を含む。また、記録対象となるデータが静止映像である場合、実際の静止映像データは‘ＶＲ＿ＳＴＩＬＬ．ＶＲＯ’ファイルに記録される。また、記録対象となるデータが音響である場合、実際のオーディオデータは‘ＶＲ＿ＡＵＤＩＯ．ＶＲＯ’ファイルに記録される。以下では、記録対象となるデータとして動画像ファイルを挙げて説明を進める。
【００２４】
キー操作部２７０は、光記録再生装置２００の対応機能を設定または実行するための指令を制御部２９０に出力するユーザインタフェイスである。このために、キー操作部２７０は、多数の数字キー、方向キー、確認キーなどの操作キー（図示せず）を備える。本発明において、キー操作部２７０には、記録キャンセル要請部２７０ａが設けられる。記録キャンセル要請部２７０ａは、現在、光記録再生装置２００が光記録媒体２５０ａにＡＶ信号を記録する記録モードで動作する場合、記録キャンセルのための要請信号を出力する。この記録キャンセル要請部２７０ａは、別体として設けられても良いが、既に設けられている他の操作キー（図示せず）に記録キャンセルの要請機能を持たせて用いても良い。
【００２５】
主記憶部２８０には、光記録再生装置２００の全体動作を制御・管理するための制御プログラム及びオペレーティングシステムが記憶されている。
【００２６】
制御部２９０は、キー操作部２７０からの信号及び主記憶部２８０に記憶されている制御プログラムに基づき、光記録再生装置２００の全体動作を制御する。
【００２７】
本発明において、キー操作部２７０により記録モードが選択されると、制御部２９０は、映像源（図示せず）から受信される記録対象となるデータをエンコードするようにエンコーダ２４０を制御する。これと共に、制御部２９０は、バッファ２６０に一時管理ファイルＶＲ＿ＴＥＭＰ．ＩＦＯを生成する。これは、ＤＶＤ−ＲＡＭなどの光記録媒体２５０ａは、オペレーティングシステムに設定されているＵＤＦファイルシステムの管理のもとで、記録対象となるデータを記録するためである。
【００２８】
一時管理ファイルＶＲ＿ＴＥＭＰ．ＩＦＯは、光記録媒体２５０ａに格納されている管理情報ファイルＶＲ＿ＭＡＮＧＲ．ＩＦＯのコピーファイルであり、本発明においては、一時管理ファイルＶＲ＿ＴＥＭＰ．ＩＦＯが生成されるときに一時管理ファイルＶＲ＿ＴＥＭＰ．ＩＦＯとしてコピーされる管理情報ファイルＶＲ＿ＭＡＮＧＲ．ＩＦＯを、初期管理ファイルＶＲ＿ＦＩＲＳＴ．ＩＦＯと定義する。このため、初期に生成される一時管理ファイルＶＲ＿ＴＥＭＰ．ＩＦＯ及び初期管理ファイルＶＲ＿ＦＩＲＳＴ．ＩＦＯは、同じ内容を有する。また、実際に、一時管理ファイルＶＲ＿ＴＥＭＰ．ＩＦＯ及び初期管理ファイルＶＲ＿ＦＩＲＳＴ．ＩＦＯには同じファイル名を付けることが好ましいが、本発明においては、説明の便宜のために異なるファイル名を付けている。
【００２９】
さらに、エンコーダ２４０からあるＶＯＢＵが生成されたことが通知されると、制御部２９０は、それに対応する管理情報を生成してバッファの一時管理ファイルＶＲ＿ＴＥＭＰ．ＩＦＯをアップグレードする。すなわち、エンコーダ２４０により実際のＡＶストリームがＶＯＢＵ単位で生成される度に、生成されたＡＶストリームに対応する管理情報が一時管理ファイルＶＲ＿ＴＥＭＰ．ＩＦＯにアップグレードされる。
【００３０】
ＡＶストリームの記録が完了すると、すなわち、実際のＡＶストリームがいずれも生成され、光記録媒体２５０ａにおけるデータストリームファイルＶＲ＿ＭＯＶＩＥ．ＶＲＯに記録されると、制御部２９０は、最終的にアップグレードされた一時管理ファイルＶＲ＿ＴＥＭＰ．ＩＦＯの内容を光記録媒体２５０ａの初期管理ファイルＶＲ＿ＦＩＲＳＴ．ＩＦＯにコピーする。すなわち、ＡＶストリームの記録が完了すると、制御部２９０は、初期管理ファイルＶＲ＿ＦＩＲＳＴ．ＩＦＯの初期管理情報を一時管理ファイルＶＲ＿ＴＥＭＰ．ＩＦＯに最終的に格納された管理情報に置換する。これにより、光記録媒体２５０ａの初期管理ファイルＶＲ＿ＦＩＲＳＴ．ＩＦＯは管理情報ファイルＶＲ＿ＭＡＮＧＲ．ＩＦＯとして更新され、管理情報ファイルＶＲ＿ＭＡＮＧＲ．ＩＦＯを用いて実際のデータストリームファイルＶＲ＿ＭＯＶＩＥ．ＶＲＯを管理する。これと共に、制御部２９０は、光記録媒体２５０ａにバックアップファイルＶＲ．ＢＵＰを生成し、ＵＤＦファイルシステムのビットマップテーブルが更新されるように処理を行う。これにより、動画像ファイルの全ての記録が完了する。
【００３１】
一方、動画像ファイルの記録が完了する前に、記録キャンセル要請部２７０ａにより記録キャンセルの要請が行われると、制御部２９０は、エンコードを止めるようにエンコーダ２４０を制御する。ＡＶストリームの生成が止まると、制御部２９０は、バッファ２６０に一時格納されている一時管理ファイルＶＲ＿ＴＥＭＰ．ＩＦＯの内容を初期化させる。具体的には、制御部２９０は、初期管理ファイルＶＲ＿ＦＩＲＳＴ．ＩＦＯの初期管理情報を一時管理ファイルＶＲ＿ＴＥＭＰ．ＩＦＯの管理情報に置換するような処理を行う。すなわち、制御部２９０は、初期管理ファイルＶＲ＿ＦＩＲＳＴ．ＩＦＯを一時管理ファイルＶＲ＿ＴＥＭＰ．ＩＦＯにコピーするような処理を行い、一時管理ファイルＶＲ＿ＴＥＭＰ．ＩＦＯを初期化させる。
【００３２】
図４は、図２に示す光記録再生装置によるデータ記録のキャンセル方法を概略的に説明するためのフローチャートである。
【００３３】
図２ないし図４を参照すれば、光記録再生装置２００が記録モードに設定されると、制御部２９０は、光記録媒体２５０ａにデータストリームファイルＶＲ＿ＭＯＶＩＥ．ＶＲＯ及び初期管理ファイルＶＲ＿ＦＩＲＳＴ．ＩＦＯを生成し、バッファ２６０に一時管理ファイルＶＲ＿ＴＥＭＰ．ＩＦＯを生成する（Ｓ４０５）。このとき、初期管理ファイルＶＲ＿ＦＩＲＳＴ．ＩＦＯ及び一時管理ファイルＶＲ＿ＴＥＭＰ．ＩＦＯは、同じ内容を有する。
【００３４】
また、制御部２９０は、記録対象となるデータとしての動画像ファイルをエンコードしてＡＶストリームを生成するようにエンコーダ２４０を制御する（Ｓ４１０）。Ｓ４２０段階により、エンコーダ２４０からＶＯＢＵのＡＶストリームが生成される度に、制御部２９０は、生成済みのＶＯＢＵに対応する管理情報を生成して一時管理ファイルＶＲ＿ＴＥＭＰ．ＩＦＯに格納する（Ｓ４１５）。すなわち、Ｓ４２０段階により、一時管理ファイルＶＲ＿ＴＥＭＰ．ＩＦＯは更新される。
【００３５】
Ｓ４１５段階後に、制御部２９０は、ＡＶストリームの記録完了の有無をチェックし、記録が完了した場合、バッファ２６０の一時管理ファイルＶＲ＿ＴＥＭＰ．ＩＦＯに最終的に格納された管理情報を初期管理ファイルＶＲ＿ＦＩＲＳＴ．ＩＦＯにコピーする（Ｓ４２０，Ｓ４２５）。これは、実際のＡＶストリームはデータストリームファイルＶＲ＿ＭＯＶＩＥ．ＶＲＯに記録されるのに対し、ＡＶストリームを管理するための管理情報はバッファ２６０の一時管理ファイルＶＲ＿ＴＥＭＰ．ＩＦＯに格納されるためである。
【００３６】
Ｓ４２５段階が行われると、制御部２９０は、管理情報ファイルＶＲ＿ＭＡＮＧＲ．ＩＦＯの退避ファイルＶＲ．ＢＵＰが生成されるように光記録媒体２５０ａを制御する（Ｓ４３０）。これにより、初期管理ファイルＶＲ＿ＦＩＲＳＴ．ＩＦＯの内容はアップグレードされ、実際の管理情報ファイルＶＲ＿ＭＡＮＧＲ．ＩＦＯとして機能し、最終的に格納される管理情報ファイルには‘ＶＲ＿ＭＡＮＧＲ．ＩＦＯ’というファイル名が付けられ、動画像ファイルの記録が完了する（Ｓ４３５）。
【００３７】
一方、Ｓ４２０段階において、記録進行中であることが確認された後、記録キャンセル要請部２７０ａから記録キャンセルの要請信号が受信されると、制御部２９０は、エンコードを止めるようにエンコーダ２４０を制御する（Ｓ４４０，Ｓ４４５）。
【００３８】
Ｓ４４５段階において、エンコードが止まると、制御部２９０は、Ｓ４０５段階において生成された初期管理ファイルＶＲ＿ＦＩＲＳＴ．ＩＦＯ、すなわち、記録指令が受信される前の管理情報ファイルＶＲ＿ＭＡＮＧＲ．ＩＦＯがバッファ２６０に格納されている一時管理ファイルＶＲ＿ＴＥＭＰ．ＩＦＯにコピーされるように処理を行う（Ｓ４５０）。これにより、バッファ２６０に格納されている一時管理ファイルＶＲ＿ＴＥＭＰ．ＩＦＯは初期化され、ＵＤＦファイルシステムの内容には変化が無くなる。すなわち、所定量だけ記録されたデータの記録はキャンセルされ、ＵＤＦファイルシステムのビットマップテーブルはアップグレードされないことにより、記録前の状態を保つことになる（Ｓ４５５）。
【００３９】
これに対し、Ｓ４２０段階において、記録進行中であることが確認された後、記録キャンセル要請部２７０ａから記録キャンセルの要請信号が受信されるか、あるいは、記録が完了するまで、制御部２９０は、Ｓ４０５段階ないしＳ４４０段階を繰り返し行う。
【００４０】
一方、上述した如き本発明に係る光記録再生装置２００及びそのデータ記録のキャンセル方法は、上述の如き機能を具現するためのモードが選択可能なモード選択部（図示せず）をさらに備えても良い。すなわち、上述した如き記録キャンセル要請部２７０ａと関連する動作は、モード選択部（図示せず）により既定された場合に限って行わせることにより、記録キャンセル要請部２７０ａがユーザのミスにより選択されても、上述した如き機能を行わせないようにできる。
【００４１】
さらに、光記録再生装置２００及びそのデータ記録のキャンセル方法において、記録キャンセル要請部２７０ａが選択されると、制御部２９０は、‘現在記録中のデータを削除してもよろしいでしょうか。’などのメッセージをＯＳＤ処理により表示するようにＯＳＤ処理部（図示せず）を制御することができる。これにより、ユーザの誤動作により記録キャンセル要請部２７０ａが選択された場合、現在記録中のデータが削除処理されることを防ぐことができる。
【００４２】
また、上述した如く、本発明に係る光記録再生装置２００及びそのデータ記録のキャンセル方法において、エンコーダ２４０は、ＭＰＥＧ−２方式に基づきデジタルＡＶ信号の圧縮を行っているが、必ずしもこれに限定されることはない。
【００４３】
さらに、上述した如く、本発明に係る光記録再生装置２００及びそのデータ記録のキャンセル方法においては、ＵＤＦファイルシステムを採用するＤＶＤにデータを記録する場合を例として挙げているが、ＨＤＤにデータを記録する場合にも適用可能である。
【００４４】
以上、説明したように、本発明に係る、データ記録がキャンセル可能な光記録再生装置及びその記録のキャンセル方法によれば、記録対象となるデータを記録する最中に記録をキャンセルしようとする場合、一回のキー操作により簡単にデータの記録をキャンセルすることができる。すなわち、記録キャンセルの要請信号がリモコンなどの入力装置から受信されると、記録対象となるデータがＶＯＢＵで記録される間に、一時格納されている管理情報ファイルを初期化させることにより、データの記録がキャンセルされる。さらに、ユーザは、それ以上のキー操作を行わなくても済むので、従来、データ記録をキャンセルするために行っていた煩雑な作業を省くことができる。
【００４５】
以上、代表的な実施の形態を挙げて本発明について詳細に説明したが、本発明が属する技術分野において通常の知識を有する者であれば、上述した如き実施の形態に対し、本発明の範ちゅうを逸脱しない範囲内において種々なる変形が可能であることが理解であるであろう。よって、本発明の権利範囲は上述した実施の形態により限定されるものではなく、特許請求の範囲に加え、この特許請求の範囲との均等物により定まるべきである。
【産業上の利用可能性】
【００４６】
本発明は、記録中のデータの記録を一回のキー操作によりキャンセルすることのできるデータ記録がキャンセル可能な光記録再生装置及びその記録のキャンセル方法に用いられる。
【図面の簡単な説明】
【００４７】
本発明の上記の目的及び他の特徴は、添付図面と結び付けて行われる本発明の好適な実施の形態の詳細な説明により一層明らかになる。
【図１】ＤＶＤに記録されているファイル及び現在記録停止中の動画像ファイルのファイル名を表示するメニュー一覧である。
【図２】本発明の好適な実施の形態による光記録再生装置を概略的に示すブロック図である。
【図３】通常のデータが記録及び再生可能な光記録媒体のディレクトリ構造を概略的に示す図である。
【図４】図２の光記録再生装置によるデータ記録のキャンセル方法を概略的に説明するためのフローチャートである。
【図１】
2007503076.tif 000003
【図２】
2007503076.tif 000004
【図３】
2007503076.tif 000005
【図４】
2007503076.tif 000006
【国際調査報告】
2007503076.tif 000007